(57)【特許請求の範囲】
【請求項１】
監視機能を有するデジタル保護継電装置において、
監視異常の内容を数値でコード化して表示させる表示部を、複数桁並設したＬＥＤ素子で構成し、
監視異常の内容の数値コードを、前記ＬＥＤ素子に点灯表示させる際に、数値の桁が高い桁から下位の桁へと順次点灯表示させて行き、その後、点灯表示させた異常内容のコードを記憶させてから、その異常内容をコード表示させることを特徴とするデジタル保護継電装置における異常内容コード表示方法。
【発明の詳細な説明】
【技術分野】
【０００１】
本発明は、デジタル保護継電装置等において、異常発生が生じた際に、その異常発生をコード化した値で表示させる簡易型監視端末装置で使用する異常内容コード表示方法に関するものである。
【背景技術】
【０００２】
簡易型監視端末装置で使用される表示器は、一般的に小型かつ安価に製作できることが条件になっている。このため、表示器における操作部や表示部は、必要最低限の部品を使用し、シンプルな構造でありながら、ユーザーの需要に適合した機能を持つ必要がある。
【０００３】
例えば、上記端末装置の機能の一つとして、自端末の状態を常時監視し、異常を検出した際には、アラームを発生してユーザーに知らせるセルフチェック機能をもたせ、また、上記端末装置の異常には、種類ごとに異常コードが割り当てられ、ユーザーは異常が発生した場合に、この異常コードにて異常内容を判断することができるようになっている。
【０００４】
上記の他に、互いに離れた場所に設置されるＬＥＤボード表示装置部とターミナル制御装置部とから構成され、通信路を介して両装置部が接続されているＬＥＤボード文章表示システムがある。このシステムは、通信路に何らかの障害が発生すると、通信エラーが発生して所望の画面をＬＥＤ表示ボードに表示できない場合があり、システムの異常をユーザー（利用者）に知らせることができなくなる。
【０００５】
そこで、このような不具合を解消するために、上記システムは、送信した電文に対して一定時間が経過しても応答がなく、ターミナル制御装置部に何らかの異常が発生したと判断される場合には、障害画面をＬＥＤ表示ボードに文章にて表示し、システムの異常をユーザーに知らせるようにしたものである（例えば、特許文献１参照。）。
【特許文献１】特開平０６−０１９７４５号公報
【発明の開示】
【発明が解決しようとする課題】
【０００６】
上記簡易型監視端末装置における異常コードは、ＬＣＤ表示器などを用いて数字や英字で表す手段が採られているが、ＬＣＤ表示器を実装すると装置全体の価格が高騰してしまう問題がある。また、装置に異常コード表示機能を設けないとすると、メンテナンスツールなどを装置に接続して異常内容を判断することが必要となるため、手間が生じる問題もある。
【０００７】
また、上述したＬＥＤボード文章表示システムにおいて、ＬＥＤ表示ボード装置部で、システムの異常を知らせるようにすると、システム全体が複雑、かつ大型になり、しかも、ＬＥＤ表示ボード装置部には、文章を表示する必要からＬＥＤ表示ボード装置も大型化する問題がある。
【０００８】
本発明は、上記の事情に鑑みてなされたもので、複数桁のＬＥＤ素子を並設して表示部を構成し、そのＬＥＤ表示部の点灯、消灯状態の表示をコード化して装置の異常表示を行うようにした異常内容コード表示方法を提供することを目的とする。
【課題を解決するための手段】
【０００９】
本発明は、上記の課題を達成するために、監視機能を有するデジタル保護継電装置において、監視異常の内容を数値でコード化して表示させる表示部を、複数桁並設したＬＥＤ素子で構成し、監視異常の内容の数値コードを、前記ＬＥＤ素子に点灯表示させる際に、数値の桁が高い桁から下位の桁へと順次点灯表示させて行き、その後、点灯表示させた異常内容のコードを記憶させてから、その異常内容をコード表示させることを特徴とする。
【発明の効果】
【００１０】
本発明によれば、ＬＥＤ表示部の点灯状態と消灯状態から簡単に異常内容コードを表示することができる。また、このような方法によるＬＥＤ表示部は、ＬＣＤ表示器などと比較すると、簡単かつ安価に構成することができる利点がある。さらに、メンテナンスツールなどを用いて異常内容コードを確認する必要がなく、スイッチを切り替えるだけでＬＥＤ表示部の点灯、消灯状態から異常内容コードを判断できるため、操作性・機能性が向上する利点も得られる。
【発明を実施するための最良の形態】
【００１１】
以下本発明の実施の形態を図面に基づいて説明する。図１は、本発明の異常コード表示方法に適用したデジタル保護継電装置の概略的なブロック構成図で、この継電装置は、複数のデジタルリレーユニット１１〜１１ｎと、これらデジタルリレーユニット１１〜１１ｎの常時監視を行う常時監視回路１２と、同じく点検監視を行う点検監視回路１３と、監視異常の複数の内容を数値コード化するコード化回路１４と、並びに監視異常の内容を数値コード化して表示する詳細を後述するＬＥＤ素子（発光ダイオード素子）から構成されるＬＥＤ表示部１５を備えたメンテナンスパネル１６とから構成されている。
【００１２】
ここで、デジタル保護継電装置の概略構成を図２により述べる。図２において、この継電装置は、メインのデジタルリレーユニットＭと、フェイルセーフを担当するデジタルリレーユニットＦＳとから構成される。なお、このデジタルリレーユニットＦＳの構成は、デジタルリレーユニットＭとほぼ同様に構成される。
【００１３】
デジタルリレーユニットＭは、変圧器や変流器からの電圧Ｖと電流Ｉを整形するフィルタ回路２１、２２、これらフィルタ回路２１，２２の出力をサンプリングするサンプルホールド回路２３，２４、これらサンプルホールド回路２３，２４の出力を多重化して出力するマルチプレクサ回路２５、この回路２５の出力をＡ／Ｄ変換するＡ／Ｄ変換器２６を有し、さらに、ＣＰＵ２７、メモリ回路２８、整定値回路２９、デジタル入力ＤＩ、デジタル出力ＤＯを備えたコンピュータも有している。
【００１４】
これらデジタルリレーユニットＭとＦＳの出力はＡＮＤ条件がとられ、つまりデジタルリレーユニットＭ，ＦＳが両方ともに動作したときに、所定のトリップ回路を介して、トリップ指令がでるように構成されている。なお、図２においては、デジタルリレーユニットＭ，ＦＳの出力とともに、トリップリレー２０の出力もＡＮＤ条件をとる構成としている。
【００１５】
常時監視回路１２は、数ｍ秒〜数秒の一定周期でこれらリレーユニット１１〜１１ｎの各デジタル出力ＤＯからの信号を入力して所定の常時監視を行い、異常が検出された場合には、メンテナンスパネル１６に異常表示を指示する。
【００１６】
また、点検監視回路１３は、同様に、リレーユニット１１〜１１ｎの各デジタル出力ＤＯからの信号を入力し、設定された「日」、「時」、「分」に周期的に所定の点検監視を実施し、異常が検出された場合には、メンテナンスパネル１６に異常表示を指示する。
【００１７】
コード化回路１４は、デジタルリレーユニット１１〜１１ｎの各デジタル出力ＤＯからの信号を入力して異常の自動監視を行い、異常が検出された場合には、当該異常の内容をコード化してメンテナンスパネル１６に供給し、ＬＥＤ表示部１５に後述するように異常内容の表示をＬＥＤの点灯・消灯状態で表示する。
【００１８】
図３は、自動監視において発生した異常内容の一覧を示す説明図で、この図３に示す異常の内容は、常時監視回路１２と点検監視回路１３の働きによりメンテナンスパネル１６上に異常表示されるとともに、コード化回路１４の働きにより別途コード化され、メンテナンスパネル１６上に実装されているＬＥＤ表示部１５を点灯・消灯状態としてコード表示される。
【００１９】
このように自動監視により発生した異常を点灯・消灯によってコード化することにより、異常の内容や故障の部位を容易に判断することができるようになる。
【００２０】
次に本発明の異常内容コード表示方法に適用するＬＥＤ表示部の実施の形態について述べる。図４（ａ）は、ＬＥＤ表示部の構成図であり、「Ａ」〜「Ｄ」は、ＬＥＤ素子で、これらＬＥＤ素子「Ａ」〜「Ｄ」は、４桁のＬＥＤ素子を並設して構成され、各ＬＥＤ素子「Ａ」〜「Ｄ」は、各桁ごとにＢＣＤ表示にて各桁のＬＥＤ素子に、次のような数字の意味を持たせて点灯表示させる。
【００２１】
ＬＥＤ素子「Ａ」：「８」
ＬＥＤ素子「Ｂ」：「４」
ＬＥＤ素子「Ｃ」：「２」
ＬＥＤ素子「Ｄ」：「１」
例えば、表示する数字が「５」の場合には、５＝０×８＋４＋０×２＋１より、ＬＥＤ素子「Ｂ」とＬＥＤ素子「Ｄ」が点灯、ＬＥＤ素子「Ａ」「Ｃ」は消灯状態となる。このときのＬＥＤ素子の点灯・消灯状態を図４（ｂ）に示す。
【００２２】
上記のようなＬＥＤ表示部１５を用いて、例えば、図３に示す異常内容コード「６−１」の「ＤＩ／Ｏ監視（入出力不一致）」の異常表示を行う場合、図５に示すロータリスイッチを「Ｆ」の位置とすると、異常内容コード表示状態となる。
【００２３】
異常内容コード表示処理方法は、図６に示すフローチャートのステップのように処理される。図６において、まず、ロータリスイッチを「Ｆ」の位置とすると、ステップＳ１で「３回全ＬＥＤを点滅させる」と異常表示処理が開始され、ステップＳ２に移る。
【００２４】
このステップＳ２で「異常コードあり」と判断処理されたなら、ステップＳ３の処理に進み、ここで「未表示異常コードの十の位ＬＥＤを点灯」させる。異常コードは「６−１」であるから数字「６１」とすると、ＬＥＤ素子「Ｂ」と「Ｃ」とは、図４（ｃ）に示すような点灯状態になる（６＝４＋２から）。
【００２５】
その後、ステップＳ４に進み、「未表示異常コードの一の位ＬＥＤを点灯」させると、ＬＥＤ素子「Ｄ」が点灯し、図４（ｄ）に示すような点灯状態となる。ステップＳ４の処理が終わったならステップＳ５の処理に進み、「今回表示した異常コードの記憶」を行ってから、ステップＳ６の処理に進み、「２回全ＬＥＤを点滅」させて、ステップＳ７の判断処理に進み、「未表示異常コード」なしと判断されたならステップＳ８にて記憶した異常コードを全てクリアしてステップＳ１の処理に戻る。また、ステップＳ７で「未表示異常コード」ありと判断処理されたならステップＳ３の処理に戻る。
【００２６】
上記実施の形態において、複数の監視異常が検出された際には、公知の回路を用いて自動的に歩進させて、複数の監視異常に対応するコードを順次表示させる構成としても良い。
【図面の簡単な説明】
【００２７】
【図１】本発明の異常内容コード表示方法を適用したデジタル保護継電装置の概略的なブロック構成図。
【図２】デジタル保護継電装置の一例を示す構成図。
【図３】監視異常の内容を数値コード化した例を示す説明図。
【図４】（ａ）は本発明の異常内容コード表示方法に適用するＬＥＤ表示部の構成図，（ｂ−ｄ）はＬＥＤ素子点灯状態を示す説明図。
【図５】ロータリスイッチの説明図。
【図６】異常内容コード表示処理のフローチャート。
【符号の説明】
【００２８】
１１〜１１ｎ…デジタルリレーユニット
１２…常時監視回路
１３…点検監視回路
１４…コード化回路
１５…ＬＥＤ表示部
１６…メンテナンスパネル
【図１】
0005061944.tif 000002
【図２】
0005061944.tif 000003
【図３】
0005061944.tif 000004
【図４】
0005061944.tif 000005
【図５】
0005061944.tif 000006
【図６】
0005061944.tif 000007